(57)【要約】【課題】夜間や暗所でも線芯を識別しやすい複数芯ケーブルを提供する。【解決手段】導体の外周を絶縁体で被覆した線芯２、３の束と、この束を収容するシース６とを備えている複数芯ケーブル１において、前記絶縁体の表面に線芯ごとの識別記号２ｃ、３ｃが付与され、前記識別記号が蓄光機能、蛍光機能または反射機能を有する塗料にて形成されているか、又は前記絶縁体が線芯ごとに色分けされているとともに、少なくとも表面の一部が蓄光機能、蛍光機能または反射機能を有する塗料にて形成されていることを特徴とする。【選択図】図１
2012028289.tif 000002
【特許請求の範囲】
【請求項１】
導体の外周を絶縁体で被覆した線芯の束と、この束を収容するシースとを備え、前記絶縁体の表面に線芯ごとの識別記号が付与されている複数芯ケーブルにおいて、
前記識別記号が蓄光機能、蛍光機能または反射機能を有する塗料にて形成されていることを特徴とする複数芯ケーブル。
【請求項２】
前記線芯の絶縁体が顔料を含まないか又は白色顔料を含み、前記塗料が、２００ルクスの光を２０分間照射し、照射を止めてから６０分経過後に２０ｍｃｄ／ｍ2以上の輝度を有する蓄光顔料を含む請求項１に記載の複数芯ケーブル。
【請求項３】
前記線芯の絶縁体が黒色顔料を含み、前記塗料が反射材を含む請求項１に記載の複数芯ケーブル。
【請求項４】
導体の外周を絶縁体で被覆した線芯の束と、この束を収容するシースとを備える複数芯ケーブルにおいて、
前記絶縁体が線芯ごとに色分けされているとともに、少なくとも表面の一部が蓄光機能、蛍光機能または反射機能を有する塗料にて形成されていることを特徴とする複数芯ケーブル。
【発明の詳細な説明】
【技術分野】
【０００１】
この発明は、夜間や暗所であっても線芯の識別が容易な複数芯ケーブルに関する。
【背景技術】
【０００２】
信号用ケーブル、制御用ケーブル、動力用ケーブルなどのケーブルは、導体の外周を絶縁体で被覆した線芯を備え、導体を通じて信号や電力を伝達するものである。一般的なケーブルは多芯ケーブルであって、多種多様の信号を同一経路上で区別して伝達するために、この線芯が複数本束ねられて１本のシースに収容され、配電盤や機器における個々の端子に線芯ごとに区別して接続される。万一、誤配線すれば、事故につながり大惨事となりうる。このため、何らかの手段で線芯を互いに確実に識別する必要がある。
【０００３】
従来、線芯を識別するために、線芯の被覆絶縁体に線芯毎に異なる顔料や染料で着色したり、線芯毎に異なる数字などの識別記号を印刷したり（特許文献１）する手段が採用されていた。
【先行技術文献】
【特許文献】
【０００４】
【特許文献１】特開平１０−１２５１４３号公報
【発明の概要】
【発明が解決しようとする課題】
【０００５】
しかし、いずれの従来技術も夜間や暗所では光線量が乏しいため、依然として線芯を識別することが困難なものであった。
それ故、この発明の課題は、夜間や暗所でも線芯を識別しやすい複数芯ケーブルを提供することにある。
【課題を解決するための手段】
【０００６】
その課題を解決するために、この発明の第一の複数芯ケーブルは、
導体の外周を絶縁体で被覆した線芯の束と、この束を収容するシースとを備え、前記絶縁体の表面に線芯ごとの識別記号が付与されている複数芯ケーブルにおいて、
前記識別記号が蓄光機能、蛍光機能または反射機能を有する塗料にて形成されていることを特徴とする。
この発明の複数芯ケーブルによれば、識別記号自体が発光するか、又は少量の光線でも識別記号に入射することにより反射するので、識別が容易である。
【０００７】
同じく、第二の複数芯ケーブルは、
導体の外周を絶縁体で被覆した線芯の束と、この束を収容するシースとを備える複数芯ケーブルにおいて、
前記絶縁体が線芯ごとに色分けされているとともに、少なくとも表面の一部が蓄光機能、蛍光機能または反射機能を有する塗料にて形成されていることを特徴とする。
この発明の複数芯ケーブルによれば、線芯自体が色分けされているうえ、線芯の表面の一部が発光するか、又は少量の光線でも当該表面に入射することにより反射するので、識別が容易である。
【発明の効果】
【０００８】
線芯の識別が容易であるので、誤配線を未然に防止することができ、作業時間を短縮することもできる。
【図面の簡単な説明】
【０００９】
【図１】実施形態１の複数芯ケーブルを示す斜視図である。
【図２】実施形態１の複数芯ケーブルの径方向断面図である。
【図３】実施形態２の複数芯ケーブルを示す斜視図である。
【図４】実施形態２の複数芯ケーブルの径方向断面図である。
【発明を実施するための形態】
【００１０】
−実施形態１−
この発明の第一の実施形態を図面とともに説明する。図１は第一の実施形態の複数芯ケーブルを示す斜視図、図２は同じく径方向断面図である。
複数芯ケーブル１は、信号用ケーブルであって、２本の線芯２、３と、線芯２、３の周囲に装填されてケーブル１の断面外形を円形に保つ複数本の線状体からなる介在物４と、線芯２、３及び介在物４がばらけないように固定するテープ５と、テープ５で固定された線芯２、３及び介在物４を収容するシース６とからなる。
【００１１】
線芯２は、銅線などの導体２ａ及びこれを被覆する塩化ビニル樹脂製の絶縁体２ｂからなる。線芯３も同様である。介在物４は、ポリプロピレン、紙又はジュートからなり、通常はポリプロピレンからなる。テープ５は、ポリエステル不織布又はポリプロピレンからなる。シース６は、塩化ビニル樹脂からなる。
【００１２】
絶縁体２ｂ、３ｂの表面には、線芯２と線芯３とを識別する数字からなる識別記号２ｃ、３ｃがそれぞれ蓄光塗料にて形成されている。数字に代えてアルファベットやカナなどの文字列もしくは図形、又はこれらの組み合わせであってもよい。蓄光塗料として好ましいのは、２００ルクスの光を２０分間照射し、照射を止めてから６０分経過後に２０ｍｃｄ／ｍ2以上の輝度を有する蓄光顔料を含むもので、通常は緑色系である。６０分経過後も２０ｍｃｄ／ｍ2以上の輝度を有すれば、暗所や夜間でも普通サイズの識別記号を読み取ることができるし、緑色系が最も視認しやすいからである。
【００１３】
前記蓄光塗料が前記の緑色系ないし青色系の場合は、絶縁体２ｂ、３ｂが顔料を含まないか又は白色顔料のみを含む樹脂材からなるのが好ましい。下地が白色に近いほど蓄光塗料の色の強度が維持されやすいからである。
逆に、前記絶縁体２ｂ、３ｂが黒色顔料を含む場合は、前記塗料がガラスビーズなどの反射材を含むものが好ましい。識別記号２ｃ、３ｃの印刷部は反射し、それ以外の部分はほとんど反射しないため、識別記号２ｃ、３ｃの印刷部とそれ以外の部分とのコントラストが明確となって視認しやすいからである。
【００１４】
識別記号２ｃ（又は３ｃ）は、線芯２（又は３）を線速５０〜２００ｍ／ｍｉｎ．、通常１００ｍ／ｍｉｎ．で走行させている間に、外周面に蓄光塗料の希釈液を塗布した印刷ロールと押さえロールの間を通過させ、凹版印刷することにより、形成される。蓄光塗料の希釈液は、沸点１００℃以上の有機溶剤、例えばメチルイソブチルケトンが好ましい。沸点が１００℃に満たない溶剤は、揮発するスピードが速すぎて、印刷前の段階の溶液の濃度管理が非常に難しくなるし、各識別記号の印刷に使用される塗料希釈液の量は僅かであって、１００℃以上であっても次工程で介在物４と合わせられるまでに揮発するからである。
【００１５】
−実施形態２−
図３は第二の実施形態の複数芯ケーブルを示す斜視図、図４は同じく径方向断面図である。この実施形態では複数芯ケーブル１１は、線芯１２、１３の絶縁体が異なる他は、第一の実施形態の複数芯ケーブル１と同形同質である。線芯１２の絶縁体１２ｂは赤色顔料を、線芯１３の絶縁体１３ｂは緑色顔料をそれぞれ含んでおり、線芯ごとに色分けされている。更に、絶縁体１２ｂの表面には赤色系の蓄光塗料にて楕円形の標識１２ｃが、絶縁体１３ｂの表面には緑色系の蓄光塗料にて楕円形の標識１３ｃがそれぞれ印刷されている。従って、夜間や暗所でもそれぞれの線芯の色を容易に視認可能である。
【符号の説明】
【００１６】
１、１１  複数芯ケーブル
２、３、１２、１３  線芯
２ｃ、３ｃ  識別記号
１２ｃ、１３ｃ  標識
６  シース
【図１】
2012028289.tif 000003
【図２】
2012028289.tif 000004
【図３】
2012028289.tif 000005
【図４】
2012028289.tif 000006